(57)【要約】【課題】この発明は、電子番組表を作成するために必要な情報の取得に関する種々の状況を容易に表示することができ、ユーザにとって使い勝手が便利となり十分に実用に適し得る放送受信装置及び放送受信方法を提供することを目的としている。【解決手段】リモートコントローラ１９の操作に基づいて、放送を受信するチャンネルを選定し、選定されたチャンネルの放送を受信するとともに、ＥＰＧ情報を取得するチャンネルを画面に表示し、得られた信号から、該チャンネルの番組表を作成するためのＥＰＧ情報を取得する。そして、取得されたＥＰＧ情報に基づいて、番組表を作成し画面に表示する。【選択図】図４
2005057473.tif 000002
【特許請求の範囲】
【請求項１】
外部からの操作に基づいて選定されたチャンネルの放送を受信する放送受信手段と、
この放送受信手段で受信されたチャンネルの信号から、該チャンネルの番組表を作成するための情報を取得する情報取得手段と、
この情報取得手段で取得された情報に基づいて番組表を作成し画面に表示する番組表表示手段と、
前記情報取得手段が情報取得中のチャンネルを画面に表示する情報取得表示手段とを具備したことを特徴とする放送受信装置。
【請求項２】
前記情報取得表示手段は、選定されたチャンネルと該チャンネルから番組表を作成するための情報を取得中であることとを、画面に表示することを特徴とする請求項１記載の放送受信装置。
【請求項３】
複数のチャンネルの放送を予め設定された順序で順次受信する放送受信手段と、
この放送受信手段で順次受信された各チャンネルの信号から、それぞれそのチャンネルの番組表を作成するための情報を取得する情報取得手段と、
この情報取得手段で取得された情報に基づいて各チャンネル毎の番組表を作成し画面に表示する番組表表示手段と、
前記放送受信手段が各チャンネルの放送を受信する順序を画面に表示する取得順序表示手段とを具備したことを特徴とする放送受信装置。
【請求項４】
前記取得順序表示手段は、情報取得中のチャンネルを表示することを特徴とする請求項３記載の放送受信装置。
【請求項５】
前記取得順序表示手段は、情報取得済みのチャンネルと、情報取得中のチャンネルと、情報未取得のチャンネルとをそれぞれ表示することを特徴とする請求項３記載の放送受信装置。
【請求項６】
前記放送受信手段は、各チャンネルの放送を予め設定された順序で順次受信する際、既に情報取得済みのチャンネルに対する放送の受信動作をスキップすることを特徴とする請求項３乃至５いずれかに記載の放送受信装置。
【請求項７】
選局されたチャンネルの放送を受信する放送受信手段と、
この放送受信手段で受信されたチャンネルの信号から、該チャンネルの番組表を作成するための情報を取得し、取得した日時情報とともに保持する情報保持手段と、
この情報保持手段に保持された情報に基づいて番組表を作成し画面に表示する番組表表示手段と、
前記情報保持手段に保持された日時情報に基づいて、前記番組表表示手段により画面に表示された番組表を作成するための情報を取得した日時を画面に表示する取得日時表示手段とを具備したことを特徴とする放送受信装置。
【請求項８】
外部からの操作に基づいて複数のチャンネルの放送を受信する順序を設定する選局順序設定手段と、
この選局順序設定手段で設定された順序に基づいて複数のチャンネルの放送を順次受信する放送受信手段と、
この放送受信手段で順次受信された各チャンネルの信号から、それぞれそのチャンネルの番組表を作成するための情報を取得する情報取得手段と、
この情報取得手段で取得された情報に基づいて各チャンネル毎の番組表を作成し画面に表示する番組表表示手段とを具備したことを特徴とする放送受信装置。
【請求項９】
前記選局順序設定手段は、外部からの操作に基づいて、所定のチャンネルに対して、その放送を前記放送受信手段に受信させない状態に設定可能とする請求項８記載の放送受信装置。
【請求項１０】
外部からの操作に基づいて選定されたチャンネルの放送を受信する工程と、
受信されたチャンネルの信号から、該チャンネルの番組表を作成するための情報を取得する工程と、
取得された情報に基づいて番組表を作成し画面に表示する工程と、
情報取得中のチャンネルを画面に表示する工程とを具備したことを特徴とする放送受信方法。
【請求項１１】
複数のチャンネルの放送を予め設定された順序で順次受信する工程と、
順次受信された各チャンネルの信号から、それぞれそのチャンネルの番組表を作成するための情報を取得する工程と、
取得された情報に基づいて各チャンネル毎の番組表を作成し画面に表示する工程と、
各チャンネルの放送を受信する順序を画面に表示する工程とを具備したことを特徴とする放送受信方法。
【請求項１２】
選局されたチャンネルの放送を受信する工程と、
受信されたチャンネルの信号から、該チャンネルの番組表を作成するための情報を取得し、取得した日時情報とともに保持する工程と、
保持された情報に基づいて番組表を作成し画面に表示する工程と、
保持された日時情報に基づいて、画面に表示された番組表を作成するための情報を取得した日時を画面に表示する工程とを具備したことを特徴とする放送受信方法。
【請求項１３】
外部からの操作に基づいて複数のチャンネルの放送を受信する順序を設定する工程と、
設定された順序に基づいて複数のチャンネルの放送を順次受信する工程と、
順次受信された各チャンネルの信号から、それぞれそのチャンネルの番組表を作成するための情報を取得する工程と、
取得された情報に基づいて各チャンネル毎の番組表を作成し画面に表示する工程とを具備したことを特徴とする放送受信方法。
【発明の詳細な説明】
【技術分野】
【０００１】
この発明は、特に地上デジタル放送等の受信に好適する放送受信装置及び放送受信方法に関する。
【背景技術】
【０００２】
周知のように、近年では、テレビジョン放送のデジタル化が推進されてきている。そして、日本国内においては、ＢＳ（Broadcasting Satellite）デジタル放送及び１１０度ＣＳ（Communication Satellite）デジタル放送等の衛星デジタル放送だけでなく、地上デジタル放送も開始される運びとなっている。
【０００３】
この地上デジタル放送では、各チャンネル毎にそれぞれＥＰＧ（Electronic Program Guide）情報を定期的に配信している。そして、この地上デジタル放送を受信する受信装置側では、各チャンネル毎にそれぞれＥＰＧ情報を受信して番組表を作成し、作成された各番組表を画面上に並べて表示することができる。
【０００４】
ところで、このように、受信したＥＰＧ情報に基づいて番組表を作成する機能を備えた受信装置は、まだまだ開発途上にある段階であり、種々の点で改良を施す余地が多く残っているのが現状である。特に、ＥＰＧ情報の取得に関する種々の状況を、ユーザに表示する機能が不十分であることが指摘されている。
【０００５】
しかしながら、１つのチャンネルに対するＥＰＧ情報を全て取得するためには、約６分程度の時間が必要となり、しかも、チャンネル数が増加していくことも考慮すると、ＥＰＧ情報の取得に関する種々の状況をユーザに表示することは、将来的に必要不可欠なこととなる。
【０００６】
特許文献１には、特定の番組の表示画面の一部に電子番組表を同時表示させ、特定の番組を視聴しながら、電子番組表を利用して裏番組の情報を得られるようにした構成が開示されている。しかしながら、この特許文献１には、ＥＰＧ情報の取得に関する種々の状況をユーザに表示することについては、何らの記載もなされていないものである。
【特許文献１】特開平１１−１１２８９９号公報
【発明の開示】
【発明が解決しようとする課題】
【０００７】
そこで、この発明は上記事情を考慮してなされたもので、電子番組表を作成するために必要な情報の取得に関する種々の状況を容易に表示することができ、ユーザにとって使い勝手が便利となり十分に実用に適し得る放送受信装置及び放送受信方法を提供することを目的とする。
【課題を解決するための手段】
【０００８】
この発明に係る放送受信装置は、外部からの操作に基づいて選定されたチャンネルの放送を受信する放送受信手段と、この放送受信手段で受信されたチャンネルの信号から、該チャンネルの番組表を作成するための情報を取得する情報取得手段と、この情報取得手段で取得された情報に基づいて番組表を作成し画面に表示する番組表表示手段と、情報取得手段が情報取得中のチャンネルを画面に表示する情報取得表示手段とを備えるようにしたものである。
【０００９】
また、この発明に係る放送受信方法は、外部からの操作に基づいて選定されたチャンネルの放送を受信する工程と、受信されたチャンネルの信号から、該チャンネルの番組表を作成するための情報を取得する工程と、取得された情報に基づいて番組表を作成し画面に表示する工程と、情報取得中のチャンネルを画面に表示する工程とを備えるようにしたものである。
【発明の効果】
【００１０】
上記した構成及び方法によれば、番組表を作成するための情報を取得するチャンネルを外部からの操作に基づいて選定可能とするとともに、情報取得中のチャンネルを画面に表示するようにしている。このため、電子番組表を作成するために必要な情報の取得に関する種々の状況を容易に表示し、ユーザにとって使い勝手が便利となり十分に実用に適するものとなる。
【発明を実施するための最良の形態】
【００１１】
以下、この発明の第１の実施の形態について図面を参照して詳細に説明する。図１は、この第１の実施の形態で説明するテレビジョン放送受信機を示している。このテレビジョン放送受信機は、地上アナログ放送、ＢＳデジタル放送、１１０度ＣＳデジタル放送及び地上デジタル放送の受信に対応している。
【００１２】
すなわち、地上波アンテナ１１で受信された地上アナログ放送信号は、地上アナログ放送受信部１２に供給される。この地上アナログ放送受信部１２は、入力された地上アナログ放送信号から、所定の映像及び音声情報、文字情報、制御情報等の各種情報を取り出す機能を有している。
【００１３】
また、上記地上波アンテナ１１で受信された地上デジタル放送信号は、地上デジタル放送受信部１３に供給される。この地上デジタル放送受信部１３は、入力された地上デジタル放送信号から、所定の映像及び音声情報、文字情報、ＥＰＧ情報、制御情報等の各種情報を取り出す機能を有している。
【００１４】
さらに、衛星アンテナ１４は、ＢＳデジタル放送及び１１０度ＣＳデジタル放送を含む衛星デジタル放送信号を受信する。この衛星アンテナ１４で受信された衛星デジタル放送信号は、衛星デジタル放送受信部１５に供給される。そして、この衛星デジタル放送受信部１５は、入力された衛星デジタル放送信号から、所定の映像及び音声情報、文字情報、制御情報等の各種情報を取り出す機能を有している。
【００１５】
ここで、上記地上アナログ放送受信部１２、地上デジタル放送受信部１３及び衛星デジタル放送受信部１５等でそれぞれ取得される映像情報、文字情報及び制御情報等は、例えばＣＲＴ（Cathode Ray Tube）等で構成される映像表示部１６によって選択的に映像表示される。
【００１６】
また、上記地上デジタル放送受信部１３から得られるＥＰＧ情報は、番組情報保持部１７に保持される。そして、この番組情報保持部１７に保持されたＥＰＧ情報は、番組表作成部１８に供給されて電子番組表の作成に供される。この番組表作成部１８で作成された電子番組表は、映像表示部１６で表示することができる。
【００１７】
なお、このテレビジョン放送受信機は、リモートコントローラ１９からワイヤレスで送信される操作情報を受信する操作情報受信部２０、タイマー部２１、ＲＯＭ（Read Only Memory）２２、ＲＡＭ（Random Access Memory）２３及びＣＰＵ（Central Processing Unit）２４等を備えている。
【００１８】
上記タイマー部２１は、現在の時刻情報及び時間経過の測定情報等を得るために機能する。また、ＲＯＭ２２には、ＣＰＵ２４が実行するための各種の制御プログラムや、各種設定値等の情報が格納されている。さらに、ＲＡＭ２３には、ＣＰＵ２４に提供するワークエリアが形成されている。
【００１９】
そして、上記ＣＰＵ２４は、ＲＯＭ２２に格納された制御プログラムや情報等に基づいて、ＲＡＭ２３をワークエリアとして使用することにより、操作情報受信部２０で受信された操作情報を反映するように、各部の動作を統括的に制御している。
【００２０】
図２は、上記リモートコントローラ１９の外観を示している。このリモートコントローラ１９には、主として、電源キー２５、ワンタッチ選局キー群２６、放送切換キー群２７、移動キー２８、決定キー２９、削除キー３０、番組表表示キー３１、番組情報取得キー３２、選局順序画面表示キー３３及びメニューキー３４等が設置されている。
【００２１】
このうち、ワンタッチ選局キー群２６は、１〜１２の番号が付された１２個のワンタッチ選局キーで構成されている。また、放送切換キー群２７は、地上デジタル放送を受信するモードに切り替えるキー（地上Ｄ）と、ＢＳデジタル放送を受信するモードに切り替えるキー（ＢＳ）と、１１０度ＣＳデジタル放送を受信するモードに切り替えるキー（ＣＳ）と、地上アナログ放送を受信するモードに切り替えるキー（地上Ａ）とを有している。
【００２２】
上記のような構成において、以下、その主要な動作について図３に示すフローチャートを参照して説明する。まず、ユーザがリモートコントローラ１９の番組表表示キー３１を操作することにより、処理が開始（ステップＳ１）される。
【００２３】
すると、ＣＰＵ２４は、ステップＳ２で、図４に示すような電子番組表を映像表示部１６に表示する。この電子番組表では、放送局Ａ（１ＣＨ）、放送局Ｂ（２ＣＨ）及び放送局Ｃ（４ＣＨ）に対応する番組表の表示欄が並んで表示可能となっているが、まだ、この段階では、ＥＰＧ情報が取得されていない放送局の番組表は空欄になっている。
【００２４】
そして、ユーザは、この電子番組表上で番組表を作成するためにＥＰＧ情報を取得する放送局を選定することができる。この放送局の選定は、ユーザが、リモートコントローラ１９の移動キー２８を操作して、電子番組表上でカーソルｋを所望の放送局に移動させ、番組情報取得キー３２を操作することにより行なわれる。
【００２５】
このようにして放送局の選定が行なわれると、ＣＰＵ２４は、ステップＳ３で、ユーザの選定した放送局を受信して、そのＥＰＧ情報を取得するように制御する。また、ＣＰＵ２４は、ステップＳ４で、電子番組表上に、現在ＥＰＧ情報を取得している放送局のチャンネルを表示させる。図４では、表示項目３５に示すように「情報取得中 １ＣＨ」のように表示される。
【００２６】
そして、ＣＰＵ２４は、ステップＳ５で、ユーザの選定した放送局からＥＰＧ情報を取得して番組情報保持部１７に保持させ、番組表作成部１８にその放送局の番組表を作成させた後、その番組表を対応する表示欄に表示させて処理を終了（ステップＳ６）する。
【００２７】
上記した第１の実施の形態によれば、ユーザが電子番組表上で番組表を作成するためにＥＰＧ情報を取得する放送局を任意に選定することができるようにしたので、ユーザにとっての取り扱いの自由度を高めることができる。そして、ＥＰＧ情報を取得中の放送局を表示するようにしたので、このような点でもユーザにとって便利になる。
【００２８】
図５乃至図８は、それぞれ、第１の実施の形態の変形例を示している。まず、図５は、ＥＰＧ情報を取得中の放送局（この場合Ａ）の番組表の表示欄全体（図中点線で囲む欄３６）を点滅させて、現在ＥＰＧ情報を取得している放送局を表示させるものである。
【００２９】
また、図６は、ＥＰＧ情報を取得中の放送局（この場合Ａ）の番組表の表示欄内に、ＥＰＧ情報取得中であることを示すアイテム３７を表示させて、現在ＥＰＧ情報を取得している放送局を表示させるものである。
【００３０】
さらに、図７は、ＥＰＧ情報を取得中の放送局（この場合Ａ）の番組表の表示欄全体（図中斜線で示す部分）を、他の放送局（この場合Ｂ，Ｃ）の番組表の表示欄と色を変えて表示することによって、現在ＥＰＧ情報を取得している放送局を表示させるものである。また、図８は、図４に示した形態の電子番組表に重畳させて、地上アナログ放送受信部１２で受信した映像情報を、映像表示部１６に表示させるようにしたものである。
【００３１】
図９は、この発明の第２の実施の形態を示すフローチャートである。まず、ユーザがリモートコントローラ１９の番組表表示キー３１を操作することにより、処理が開始（ステップＳ７）される。
【００３２】
すると、ＣＰＵ２４は、ステップＳ８で、図１０に示すような電子番組表を映像表示部１６に表示する。この電子番組表では、放送局Ａ（１ＣＨ）、放送局Ｂ（２ＣＨ）及び放送局Ｃ（４ＣＨ）に対する番組表の表示欄が表示可能となっているが、まだ、この段階では、各放送局の番組表は空欄になっている。
【００３３】
また、この電子番組表上には、表示項目３８に示すように、表示されている放送局Ａ，Ｂ，Ｃの範囲内で、番組表を作成するためにＥＰＧ情報を取得する放送局の順序が表示されている。この順序は、例えばチャンネル番号の若い順等のように、予め設定されているものとする。
【００３４】
そして、ＣＰＵ２４は、ステップＳ９で、リモートコントローラ１９の番組情報取得キー３２が操作されると、チャンネル番号ｎ（初期値は１）の放送局を受信して、そのＥＰＧ情報を取得するように制御する。
【００３５】
また、ＣＰＵ２４は、ステップＳ１０で、電子番組表の表示項目３８に表示されている放送局Ａの上に、現在ＥＰＧ情報を取得中である旨を表示させる。図１０では、「情報取得中 放送局Ａ」のように表示されている。
【００３６】
そして、ＣＰＵ２４は、ステップＳ１１で、放送局からＥＰＧ情報を取得して、番組情報保持部１７に保持させ、番組表作成部１８にその放送局の番組表を作成させた後、対応する表示欄に表示させる。
【００３７】
その後、ＣＰＵ２４は、ステップＳ１２で、ｎが最後のチャンネル番号であるか否かを判別し、最後のチャンネル番号でないと判断された場合（ＮＯ）、ステップＳ１３で、チャンネル番号ｎを次の値に変更してステップＳ９の処理に移行する。また、ＣＰＵ２４は、ｎが最後のチャンネル番号であると判断された場合（ＹＥＳ）、処理を終了（ステップＳ１４）する。
【００３８】
上記した第２の実施の形態によれば、電子番組表上でＥＰＧ情報を取得する放送局の順序を表示させるようにしたので、ユーザは、どの放送局をどの順序で選局して番組表を作成するかを認識することができるようになる。また、現在ＥＰＧ情報を取得中の放送局を表示するようにしたので、ＥＰＧ情報の取得がどこまで進んでいるかを確認することができる。
【００３９】
図１１及び図１２は、それぞれ、第２の実施の形態の変形例を示している。まず、図１１は、ＥＰＧ情報を取得する放送局の順序を示した表示項目３８の中で、ＥＰＧ情報の取得が終了した放送局（この場合Ａで、斜線で示す）と、ＥＰＧ情報の取得中の放送局（この場合Ｂで、実線で囲んで示す）と、ＥＰＧ情報のまだ取得されていない放送局（この場合Ｃで、点線で囲んで示す）とを分けて表示するようにしたものである。この表示分けについては、例えば色分け等が考えられる。
【００４０】
また、図１２は、放送局Ａ，Ｂ，Ｃの順序でＥＰＧ情報を取得する旨を示した表示項目３８の中で、放送局Ｂについて、例えば第１の実施の形態の手段により、既にＥＰＧ情報の取得が終了していた場合を示している。
【００４１】
この場合、放送局ＡのＥＰＧ情報の取得が終了したら、自動的に、放送局Ｂに対するＥＰＧ情報の取得を行なうことなく、つまり、放送局ＢからのＥＰＧ情報の取得動作をスキップして、次の順番の放送局ＣのＥＰＧ情報の取得を行なうように制御される。
【００４２】
図１３は、この発明の第３の実施の形態を示している。図１３において、図１と同一部分に同一符号を付して説明すると、選局時間保持部３９が追加された点が異なっている。この選局時間保持部３９は、ＥＰＧ情報の取得を行なうために選局された放送局と、その放送局が選局された時刻とを対応して保持する機能を有する。
【００４３】
上記のような構成において、以下、その主要な動作について図１４及び図１５に示すフローチャートを参照して説明する。まず、図１４において、ユーザがリモートコントローラ１９の番組表表示キー３１を操作することにより、処理が開始（ステップＳ１５）される。
【００４４】
すると、ＣＰＵ２４は、ステップＳ１６で、先に図４に示したような電子番組表を映像表示部１６に表示する。そして、ユーザが、電子番組表上でカーソルｋを所望の放送局に移動させ、番組情報取得キー３２を操作して放送局の選定を行なうと、ＣＰＵ２４は、ステップＳ１７で、ユーザの選定した放送局を受信して、そのＥＰＧ情報を取得するように制御する。
【００４５】
また、ＣＰＵ２４は、ステップＳ１８で、現在ＥＰＧ情報を取得している放送局と、その放送局に対してＥＰＧ情報の取得が要求された時刻とを対応させて、選局時間保持部３９に保持させる。そして、ＣＰＵ２４は、ステップＳ１９で、ユーザの選定した放送局からＥＰＧ情報を取得して、番組情報保持部１７に保持させて、処理を終了（ステップＳ２０）する。
【００４６】
上記のように、特定の放送局に対してＥＰＧ情報の取得が完了している状態で、図１５に示すように、ユーザがリモートコントローラ１９の番組表表示キー３１を操作することにより、処理が開始（ステップＳ２１）される。
【００４７】
すると、ＣＰＵ２４は、ステップＳ２２で、図１６に示すような電子番組表を映像表示部１６に表示する。この電子番組表では、放送局Ａ（１ＣＨ）、放送局Ｂ（２ＣＨ）及び放送局Ｃ（４ＣＨ）に対応する番組表の表示欄が表示可能となっている。
【００４８】
また、この電子番組表上には、表示項目４０に示すように、表示されている放送局Ａ，Ｂ，Ｃの範囲内で、番組表を作成するためにＥＰＧ情報を取得する放送局の順序が表示されている。この順序は、例えばチャンネル番号の若い順等のように、予め設定されているものとする。
【００４９】
そして、この表示項目４０に表示されている放送局Ａ，Ｂ，Ｃのうち、既にＥＰＧ情報の取得が完了している放送局（この場合Ｂ，Ｃ）については、選局時間保持部３９に保持された情報に基づいて、そのＥＰＧ情報の取得が要求された時刻（放送局Ｂの場合、２００３／５／３０，１０：１５、放送局Ｃの場合、２００３／５／３１，１０：２５）も表示されている。なお、まだＥＰＧ情報が取得されていない放送局（この場合Ａ）については、時刻は空欄になっている。
【００５０】
ここで、ＣＰＵ２４は、ステップＳ２３で、リモートコントローラ１９の番組情報取得キー３２が操作されると、チャンネル番号ｎ（初期値は１）の放送局に対して、既にＥＰＧ情報の取得が完了しているか否かを判別する。
【００５１】
そして、ＥＰＧ情報の取得が完了していないと判断された場合（ＮＯ）、ＣＰＵ２４は、ステップＳ２４で、チャンネル番号ｎの放送局を受信して、そのＥＰＧ情報を取得し、番組情報保持部１７に保持させるように制御する。
【００５２】
また、ＣＰＵ２４は、ステップＳ２５で、電子番組表の表示項目４０に表示されている放送局Ａに対応させて、現在ＥＰＧ情報を取得中である旨と、現在時刻とを表示させる。図１６では、「情報取得中 放送局Ａ ２００３／６／１，１０：０５」のように表示されている。
【００５３】
そして、ステップＳ２５の後、または、ステップＳ２３でＥＰＧ情報の取得が完了していると判断された場合（ＹＥＳ）、ＣＰＵ２４は、ステップＳ２６で、番組情報保持部１７からＥＰＧ情報を取得して、番組表作成部１８にその放送局の番組表を作成させて、対応する表示欄に表示させる。
【００５４】
その後、ＣＰＵ２４は、ステップＳ２７で、ｎが最後のチャンネル番号であるか否かを判別し、最後のチャンネル番号でないと判断された場合（ＮＯ）、ステップＳ２８で、チャンネル番号ｎを次の値に変更してステップＳ２３の処理に移行する。また、ＣＰＵ２４は、ｎが最後のチャンネル番号であると判断された場合（ＹＥＳ）、処理を終了（ステップＳ２９）する。
【００５５】
上記した第３の実施の形態によれば、ＥＰＧ情報を取得した放送局については、その放送局とＥＰＧ情報の取得時刻とを対応させて保持しておくようにしたので、表示された番組表がいつ取得したＥＰＧ情報に基づくものであるかを、ユーザが容易に認識することが可能となる。
【００５６】
図１７は、第３の実施の形態の変形例を示している。すなわち、電子番組表上で、各放送局Ａ，Ｂ，Ｃの番組表を表示する欄に、それぞれ、放送局名とチャンネル番号とに加えて、ＥＰＧ情報を取得した日時を示す情報を表示させるようにしている。この場合には、図４と同様に、電子番組表上に、現在ＥＰＧ情報を取得している放送局のチャンネルを示す表示項目３５を表示させている。
【００５７】
図１８は、この発明の第４の実施の形態を示すフローチャートである。まず、ユーザがリモートコントローラ１９の番組表表示キー３１を操作することにより、処理が開始（ステップＳ３０）される。
【００５８】
すると、ＣＰＵ２４は、ステップＳ３１で、先に図４に示したような電子番組表を映像表示部１６に表示する。この電子番組表では、放送局Ａ（１ＣＨ）、放送局Ｂ（２ＣＨ）及び放送局Ｃ（４ＣＨ）に対応する番組表の表示欄が表示可能となっているが、まだ、この段階では、各放送局の番組表は空欄になっている。また、ＥＰＧ情報取得中のチャンネルを示す表示項目３５も表示されていない。
【００５９】
そして、ＣＰＵ２４は、ステップＳ３２で、リモートコントローラ１９の選局順序画面表示キー３３が操作されると、図１９に示すような、選局順序設定画面４１を電子番組表に重ねて表示させる。
【００６０】
この選局順序設定画面４１は、各放送局Ａ，Ｂ，Ｃに対して、ＥＰＧ情報の取得を行なうために選局する順序と、ＥＰＧ情報の取得を行なわないことの設定とを行なうために表示される。
【００６１】
すなわち、選局順序設定画面４１が表示された状態で、ユーザはリモートコントローラ１９の移動キー２８を操作して、所望の放送局の欄にカーソルｋを移動させる。この状態で、ＣＰＵ２４は、ステップＳ３３で、リモートコントローラ１９の決定キー２９が操作されたか、削除キー３０が操作されたかを判別する。
【００６２】
そして、決定キー２９が操作されたと判断された場合、ＣＰＵ２４は、ステップＳ３４で、カーソルｋで指定された放送局に対して、現時点で最優先となる順序を設定し、処理を終了（ステップＳ３６）する。
【００６３】
また、削除キー３０が操作されたと判断された場合、ＣＰＵ２４は、ステップＳ３５で、カーソルｋで指定された放送局に対して、選局を行なわない旨の情報を設定し、処理を終了（ステップＳ３６）する。
【００６４】
図１９に示した選局順序設定画面４１では、放送局Ｃが選局順序１、放送局Ａが選局順序２で、放送局Ｂが選局を行なわないように設定された例を示している。
【００６５】
このように各放送局毎に選局順序や選局の有無が設定された状態で、ユーザが、選局順序設定画面４１内の「選局開始」の欄にカーソルｋを移動させ決定キー２９を操作すると、図２０に示すフローチャートのような選局動作が開始（ステップＳ３７）される。
【００６６】
すると、ＣＰＵ２４は、ステップＳ３８で、選局順序ｍが最優先の「１」に設定されている放送局を受信して、そのＥＰＧ情報を取得するように制御する。これにより、取得されたＥＰＧ情報が番組情報保持部１７に保持され、番組表作成部１８によって番組表が作成されて表示される。
【００６７】
その後、ＣＰＵ２４は、ステップＳ３９で、ｍが最後の選局順序であるか否かを判別し、最後の選局順序でないと判断された場合（ＮＯ）、ステップＳ４０で、選局順序ｍを＋１してステップＳ３８の処理に移行する。また、ＣＰＵ２４は、ｍが最後選局順序であると判断された場合（ＹＥＳ）、処理を終了（ステップＳ４１）する。
【００６８】
上記した第４の実施の形態によれば、選局順序設定画面４１を表示させて各放送局毎に選局順序や選局の有無を設定可能としたので、ユーザにとっての取り扱いの自由度をより一層高めることが可能となる。
【００６９】
なお、この発明は上記した実施の形態そのままに限定されるものではなく、実施段階ではその要旨を逸脱しない範囲で構成要素を種々変形して具体化することができる。
【００７０】
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００７１】
【図１】この発明の第１の実施の形態を示すもので、テレビジョン放送受信機を説明するために示すブロック構成図。
【図２】同テレビジョン放送受信機に使用されるリモートコントローラを説明するために示す外観図。
【図３】同テレビジョン放送受信機の主要な動作を説明するために示すフローチャート。
【図４】同テレビジョン放送受信機の主要な動作状態で表示される画面の一例を説明するために示す図。
【図５】同テレビジョン放送受信機の主要な動作状態で表示される画面の変形例を説明するために示す図。
【図６】同テレビジョン放送受信機の主要な動作状態で表示される画面の変形例を説明するために示す図。
【図７】同テレビジョン放送受信機の主要な動作状態で表示される画面の変形例を説明するために示す図。
【図８】同テレビジョン放送受信機の主要な動作状態で表示される画面の変形例を説明するために示す図。
【図９】この発明の第２の実施の形態を示すもので、テレビジョン放送受信機の主要な動作を説明するために示すフローチャート。
【図１０】同テレビジョン放送受信機の主要な動作状態で表示される画面の一例を説明するために示す図。
【図１１】同テレビジョン放送受信機の主要な動作状態で表示される画面の変形例を説明するために示す図。
【図１２】同テレビジョン放送受信機の主要な動作状態で表示される画面の変形例を説明するために示す図。
【図１３】この発明の第３の実施の形態を示すもので、テレビジョン放送受信機を説明するために示すブロック構成図。
【図１４】同テレビジョン放送受信機の主要な動作の一部を説明するために示すフローチャート。
【図１５】同テレビジョン放送受信機の主要な動作の残部を説明するために示すフローチャート。
【図１６】同テレビジョン放送受信機の主要な動作状態で表示される画面の一例を説明するために示す図。
【図１７】同テレビジョン放送受信機の主要な動作状態で表示される画面の変形例を説明するために示す図。
【図１８】この発明の第４の実施の形態を示すもので、テレビジョン放送受信機の主要な動作の一部を説明するために示すフローチャート。
【図１９】同テレビジョン放送受信機の主要な動作状態で表示される画面の一例を説明するために示す図。
【図２０】同テレビジョン放送受信機の主要な動作の残部を説明するために示すフローチャート。
【符号の説明】
【００７２】
１１…地上波アンテナ、１２…地上アナログ放送受信部、１３…地上デジタル放送受信部、１４…衛星アンテナ、１５…衛星デジタル放送受信部、１６…映像表示部、１７…番組情報保持部、１８…番組表作成部、１９…リモートコントローラ、２０…操作情報受信部、２１…タイマー部、２２…ＲＯＭ、２３…ＲＡＭ、２４…ＣＰＵ、２５…電源キー、２６…ワンタッチ選局キー群、２７…放送切換キー群、２８…移動キー、２９…決定キー、３０…削除キー、３１…番組表表示キー、３２…番組情報取得キー、３３…選局順序画面表示キー、３４…メニューキー、３５…表示項目、３６…欄、３７…アイテム、３８…表示項目、３９…選局時間保持部、４０…表示項目、４１…選局順序設定画面。
【図１】
2005057473.tif 000003
【図２】
2005057473.tif 000004
【図３】
2005057473.tif 000005
【図４】
2005057473.tif 000006
【図５】
2005057473.tif 000007
【図６】
2005057473.tif 000008
【図７】
2005057473.tif 000009
【図８】
2005057473.tif 000010
【図９】
2005057473.tif 000011
【図１０】
2005057473.tif 000012
【図１１】
2005057473.tif 000013
【図１２】
2005057473.tif 000014
【図１３】
2005057473.tif 000015
【図１４】
2005057473.tif 000016
【図１５】
2005057473.tif 000017
【図１６】
2005057473.tif 000018
【図１７】
2005057473.tif 000019
【図１８】
2005057473.tif 000020
【図１９】
2005057473.tif 000021
【図２０】
2005057473.tif 000022